(57)【特許請求の範囲】
【請求項１】
ほぼ水平なベッド位置と患者が着座位置をとることができる椅子位置との間で可動である関節動作式デッキ上で使用されるマットレスであって、
長手方向に並ぶ頭支持部分と体支持部分と足支持部分とを有し、前記頭支持部分及び前記体支持部分の幅が前記足支持部分の幅より大きい体支持面と、
前記足支持部分を前記長手方向とほぼ平行な方向に収縮させるように配置された空気袋と、を備え、
前記足支持部分は、
前記デッキが前記ベッド位置にあるときに、前記長手方向の長さが、前記空気袋が膨張した第一の長さとされ、
前記デッキが前記椅子位置に動くときに、前記空気袋の収縮によって前記長手方向の長さが収縮され、
前記デッキが前記椅子位置にあるときに、前記長手方向の長さが、前記空気袋の収縮によって前記第一の長さよりも短い第二の長さとされる、マットレス。
【請求項２】
ほぼ水平なベッド位置と患者が着座位置をとることができる椅子位置との間で可動である関節動作式デッキ上で使用されるマットレスであって、
長手方向に並ぶ頭支持部分と体支持部分と足支持部分とを有する体支持面と、
前記足支持部分を前記長手方向とほぼ平行な方向に収縮させるように配置された空気袋と、を備え、
前記足支持部分は、
前記デッキが前記ベッド位置にあるときに、前記長手方向の長さが、前記空気袋が膨張した第一の長さとされ、
前記デッキが前記椅子位置に動くときに、前記空気袋の収縮によって前記長手方向の長さが収縮され、
前記デッキが前記椅子位置にあるときに、前記長手方向の長さが、前記空気袋の収縮によって前記第一の長さよりも短い第二の長さとされる、マットレス。
【発明の詳細な説明】
【技術分野】
【０００１】
本発明はマットレス、詳細には病院ベッド用及び例えば担架や検査台を含む患者が横たわる他の装置用のマットレスに関する。さらに詳細には、水平な睡眠用面を有する従来のベッド位置、及び床の上に着いた又は床付近の人の足と人の頭部及び背中をベッドによって形成された椅子の上に支持する着座位置の両方を成せるように操縦されることができるベッドを含む、病院ベッド用のマットレスに関する。
【背景技術】
【０００２】
調整可能な関節動作式デッキに載っているマットレスを有する、ベッド及び検査台が技術的に知られている。例えば、フォスタ−、エル  デール他の米国特許第５，０７７，８４３号、ボーダースの同第５，１５７，８００号、セレスティーナ他の同第５，１２９，１７７号（以上の特許は本発明の譲受人に譲渡されている）、そして、フェランド他の米国特許第５，２７９，０１０号、ハウウェルの同第４，１８３，１０９号、フェンウィックの同第４，４１１，０３５号、ネルソンの同第３，２２０，０２２号、並びにドイツ公報第７１６９８１号を参照されたい。これらの各参照例は、マットレスを含むベッド又は検査台を開示しており、該ベッド又は検査台は載っている人の姿勢を調整するべく関節式に動く上部面を有する。さらに１９９５年８月４日に提出された、名称”椅子ベッド”のバイスミラー他の米国特許出願第０８／５１１，７１１号を参照されたい。その明細書の内容は本願と一体のものとして参照する。
【発明の開示】
【発明が解決しようとする課題】
【０００３】
本発明によって、ベッド用のマットレスが提供される。該マットレスは、人を支持するための、ほぼ平坦な上向き支持面又は睡眠用面と、段を設けられた下向き底部面とを含む。底部面は支持面から下方に第一の深さで延びる周囲部分と、支持面から下方に第一の深さより大きい第二の深さで延びる中央突出部とを含む。
【課題を解決するための手段】
【０００４】
上記のマットレスが使われている例示のベッドは、ベースフレームと、ベースフレームと連結された中間フレームと、中間フレームに連結されたウェイフレームと、ウェイフレームと連結された関節動作式デッキとを含んでいる。本発明のマットレスは関節動作式デッキの上に載っている。
【０００５】
例示の関節動作式デッキは、頭部分と座面部分と腿部分と足部分とを長手方向に間隔をあけて備えている。頭部分と腿部分と足部分は互いに対して動くことができ且つウェイフレームに対して固定された座面部分に対して動くことができる。頭部分と腿部分と足部分は椅子ベッドが頭部分と腿部分と足部分の動きの範囲内であらゆる所望の位置をとれるように際限なく調整することができ、こうして椅子ベッドの上の人の姿勢の変更に便宜を図っている。
【０００６】
マットレスはこのような関節動作式デッキを伴った使用に適している。マットレスは頭部分と座面部分と腿部分と足部分とを含む。各名前を付けられたマットレスの各部分は、それぞれ、下に位置するデッキの頭部分、座面部分、腿部分、足部分と同様に、ベッドの睡眠用面に載っている人の頭と臀部と腿と足と関連付けられている。
【０００７】
マットレスを担持する例示の関節動作式デッキは、上部デッキ側部と両側部の間に長手方向に延びる中央凹部とを含む縦の段付きデッキとなり得る。凹部は、下部デッキと、デッキの下部デッキと上部デッキを接続する側面壁とによって形成される。マットレスは上向き睡眠用面と、底部面と、睡眠用面と底部面を接続する側面と、底部面に添設されそこから下方に延びる突出部とを含む。使用の際、突出部は段付きデッキの凹部によって収容されている。所望であれば、突出部は凹部に入り、少なくともデッキの側面壁の部分に係合することができる。中央部分は、こうして、ベッドに対するマットレスの動きを防ぐために、凹部を形成する側面壁と協働することができる。
【０００８】
段付きデッキ及び段付きデッキを伴う使用のために形成されたマットレスは、ベッド及び関節動作式デッキとは独立して使用され得る。例えば、段付デッキとそれに付属するマットレスが、担架、ガーネイ、検査台、又は患者が載るあらゆる装置に提供され得る。このような担架は、例えば、フレームと、フレームに連動する縦方向の上部側端部分を有しフレームに取り付けられた段付きデッキと、ほぼ平坦な睡眠用面を有するマットレスと、底部面の形がほぼ段付きデッキの形に合致するように形成された突出部を含む底部面とを含み得る。同じ形態で、段付きデッキ及び関連付けられたマットレスがガーネイに提供され得る。このようなガーネイは、フレームが車輪を含んでおり、その結果、ガーネイが車輪を回転させることによってあちらこちらに運ばれることができることを除けば、上述の説明的な担架に類似となる。
【０００９】
マットレスの好適な実施例においては、睡眠用面はほぼ平坦であり、突出部は睡眠用面の下の中央に位置し、マットレスの中央に位置する厚い部分を形成する。マットレスの変えられた厚みは、突出部に隣接する厚い体支持ゾーンと突出部から離れた領域の薄いゾーンとを含む”ゾーン”をマットレスに提供する。マットレスの上部デッキ部分に隣接する部分は上部デッキ部分に係合する薄い周囲ゾーンを形成する。
【００１０】
突出部は、典型的には、マットレスの底部面の領域の各部を頭部分と座面部分と腿部分とに含んでいる。薄いゾーンは、典型的には、マットレスの頭部分の頭側端部はもちろん、マットレスの足部分及び腿部分と座面部分と頭部分の両側部に沿ったマットレスの周囲ゾーンにまで及んでいる。結果として、厚いゾーンは典型的に睡眠用面の上の人の体重のほとんどを支持しているであろうマットレスの部分の大部分を含み、薄いゾーンが厚いゾーンを囲んでいる。
【００１１】
加えて、関節式に動く上部デッキ部分に隣接するマットレスの薄い周囲ゾーンは、上部デッキ部分と協働して、人が体感する堅さを増大させる”突き当てられたエッジ”をマットレスのエッジまわりに提供する。マットレスは段付きデッキと協働して、ほぼ平坦な上部面を与えると共に、突き当てられたエッジとなる薄い周囲ゾーンを提供する。この増大させられた堅さは、人がベッドの側部に沿ってベッドに出入りするときに、利点となる。
【００１２】
マットレスは、一つ以上の部品で提供されてもよく、例えば、第一のマットレス部品が凹部に嵌合し、第二のマットレス部品が上部デッキに係合して第一のマットレス部品を取り囲むようにすることもできれば、第一のマットレス部品が凹部に嵌合し、第二のマットレス部品が第一のマットレス部品を包んで上部デッキ部分に係合するようにすることもできる。
【００１３】
段付きデッキの潜在的な適用例及びそれに対応するマットレスの形状、そして考案されうるマットレス部品についての数及びタイプは多数あるが、上部デッキ部分と、底部デッキ部分と上部デッキ部分を接続する壁と底部デッキ部分とによって形成される凹部と、を有する段付きデッキであればいずれも所望の結果を達成するであろう。同様に、段付きデッキの形状にほぼ合致する底部面を備えたマットレス又はマットレス部品の組み合わせであればいずれも所望の結果を達成するであろう。
【００１４】
こうすることで、患者の介護に使用されるマットレスを提供することが本発明の目的である。患者の介護用ベッドは、側部に沿って延び長手方向に延びる盛り上げられた上部デッキ部分を備えた長手方向に延びる患者支持デッキを有する。マットレスは、前記患者支持デッキに載置された長手方向に延びる中央本体部分と、前記上部部分に載置された側端部分とからなる。中央本体部分は側端部分の深さよりも深い深さを有する。
【００１５】
収縮可能である足部分を有するようなマットレスを提供することが本発明のもう一つの目的である。マットレスは、ほぼ平坦な患者面と、頭部分と、座面部分と、腿部分と、足部分とからなる。足部分は収縮可能であり且つ収縮させられたときに第一の長さを有し、膨張させられたときに第二の長さを有し、第二の長さは第一の長さよりも長い。加えて、足部分が収縮させられたときに第一の高さを、そして膨張させられたときに第二の高さを有するように形成されることができ、第二の高さは第一の高さよりも高い。
【００１６】
好適な実施例では、足部分が上の位置にあるときには、マットレスの足部分は膨張させられている。マットレスの足部分が膨張させられているときには、足部分に隣接するマットレスの睡眠用面はデッキの他の部分に隣接する睡眠用面とともにほぼ平坦になっている。実例では、マットレスの足部分は自動的に収縮又は膨張可能であり、デッキの足部分が上の位置と下の位置の間で旋回するにともない収縮したり膨張したりする。
【００１７】
現在認識されているものとして本発明を実施する最良の形態を例示する、好適な実施例についての以下の詳細な説明を検討することにより、本発明のさらなる目的、特徴及び利点は当業者にとって明らかとなる。
【発明を実施するための最良の形態】
【００１８】
頭側端部５２と足側端部５４と側部５６、５８とを有する本発明による椅子ベッド５０が図１及び図２に示されている。この説明で使用されているように、”頭側端部５２”という語句は、引用された物がなんであれ、椅子ベッド５０の頭側の端部５２の最も近くに位置する端部を指すために使用される。同様に、”足側端部５４”という語句は、引用された物がなんであれ、椅子ベッド５０の足側端部５４の最も近くに位置する端部を指すために使用される。
【００１９】
図１に示されるように、椅子ベッド５０は中間フレームモジュール３００に接続されたベースフレーム６２を有するベースモジュール６０を含む。関節動作式デッキ／ウェイフレームモジュール４００が中間フレームモジュール３００に連結されている。側部レールアッセンブリ８００、８０２、８０４、８０６及び旋回足部ゲートを有する延長されたフレームモジュール６１０が関節動作式デッキ／ウェイフレームモジュール４００に連結されている。マットレス５５０は関節動作式デッキ／ウェイフレームモジュール４００によって担持されており、且つ人（図示されていない）を受け止めるべく形成された睡眠用面又は支持面５５２を供給する。
【００２０】
椅子ベッド５０は介護者によって又は睡眠用面５５２上の人（図示されていない）によって流体圧システムモジュール（図示されていない）を使用して操縦されることができ、それによって、マットレス５５０と、中間フレームモジュール３００の中間フレーム３０２と、関節動作式デッキ／ウェイフレームモジュール４００の関節動作式デッキ４０２とは、種々の位置をとり、その位置のうちの幾つかが図３−図７に線図で示されている。
【００２１】
関節動作式デッキ４０２は、頭部分４０４と、座面部分４０６と、腿部分４０８と、足部分４１０とを含む。マットレス５５０はデッキ４０２の上に載っており、頭部分５５８と座面部分５６０と腿部分５６２と足部分５６４とを含み、その各部はデッキ４０２の同様の名称の部分にほぼ対応しており、その各部は睡眠用面５５２上の人の頭部、臀部、腿部、足部とほぼ関連づけられている。デッキ４０２及びマットレス５５０の詳細は以下に説明される。
【００２２】
椅子ベッド５０は、睡眠用面５５２が平坦且つ水平となるようにデッキ４０２を形成するベッド位置をとることができ、この位置が、図１及び図３に示されているデッキ４０２の初期位置を規定している。ベッド位置では、睡眠用面５５２は床の上から予め決められた第一の距離５６６に位置する。椅子ベッド５０はさらに図４に線図で示されている低い位置をとるように操縦されることができ、この位置はデッキ４０２を初期位置にさせ且つ睡眠用面５５２を床の上から予め決められた第二の距離５６８に位置させた状態で、この第二の距離５６８は第一の距離５６６より小さい。関節動作式デッキ４０２が初期位置にあるときに、関節動作式デッキ４０２の足部分４１０は第一の長さ４６５を有する。
【００２３】
椅子ベッド５０は図５に線図で示されているトレンデレンブルグ体位位置へ動かされることができ、この位置は、デッキ４０２を平坦な形状にし且つ睡眠用面５５２の頭側端部５２を睡眠用面５５２の足側端部５４よりも床の近くに位置させるように傾けた状態である。椅子ベッド５０はさらに図６に線図で示されている逆トレンデレンブルグ体位位置をなすことができ、この位置は、デッキ４０２を平坦な形状にし且つ睡眠用面５５２の足側端部５４を睡眠用面５５２の頭側端部５２よりも床の近くに位置させるように傾けた状態である。
【００２４】
上述のように、椅子ベッド５０は図２に示され且つ図８に線図で示されている着座位置に変えることができる。着座位置では、デッキ４０２の頭部分４０４の頭側端部５２が中間フレーム３０２から上方に旋回させられて旋回可能な背もたれを提供する背中支持の位置になり、それによって、頭部分４０４と中間フレーム３０２はおよそ５５度から９０度の間の角度５１２を形成する。デッキ４０２の座面部分４０６が初期位置のようにほぼ水平に横たわるように位置させられ、腿部分４０８の足側端部５４は僅かに上方に傾けられ、デッキ４０２の足部分４１０は腿部分４０８から下方にほぼ垂直に延び且つデッキ４０２が初期位置にあるときより短い長さ４６４を有する。マットレス５５０の足部分５６４は膨張させることができ、椅子ベッド５０が着座位置にあるときには収縮された状態になっている。マットレス５５０の足部分５６４は、膨張させられたときよりも収縮させられたときの方が薄く且つ短い。
【００２５】
椅子ベッド５０は、デッキ４０２の頭部分４０４、腿部分４０８、足部分４１０が図３と図８に示される位置の中間の位置となるような位置をとることができる。例えば、椅子ベッド５０は図７に線図で示されている中間位置をとることができ、この位置は、デッキ４０２の頭部分４０４の頭側端部５２を初期位置から僅かに上方に旋回させ、座面部分４０６を初期位置と同じようにほぼ水平な平面に横たわるように位置させ、腿部分４０８の足側端部５４を初期位置から僅かに上方に上げ、足部分４１０の足側端部５４を足部分４１０の頭側端部５２より下に位置させるように傾けた状態にしてある。
【００２６】
加えて、椅子ベッド５０の関節動作式デッキ４０２が図９、１０及び図１１−図１３の例示の段付きマットレス５５０と共に例示で示されているような段付きデッキ４１２として形成される。図１１−図１３の段付きデッキ及びマットレスは図３−図８で図示されているものである。段付きデッキ４１２は上部デッキ４１４と長手方向に延びる中央凹部４５６とを含み、中央凹部４５６は、段付きデッキ４１２の下部デッキ４３０と、凹部４５６を取り囲み且つ下部デッキ４３０を上部デッキ４１４へ接続している壁４３８とによって形成されている。上部デッキ４１４は、長手方向に延びる上部デッキの両側部分４１７と、頭側端部の上部デッキ端部分４１６と、足側端部の上部デッキ部分４６０とを含む。
【００２７】
マットレス５５０は、一般に上向きの睡眠用面５５２と、睡眠用面５５２にほぼ平行であり且つ睡眠用面５５２の下に位置する底部面５８６とを含む。周囲側面５７８は睡眠用面５５２と底部面５８６とを結合している。突出部５７６が底部面５８６に添設されており、そこから下方へ延びている。好適には、突出部５７６はマットレス５５０の側面５７８から間隔を空けてあり、凹部４５６に嵌合する。突出部５７６は段付きデッキ４１２の壁４３８に係合することができ、段付きデッキ４１２に対するマットレス５５０の動きを妨げ、デッキ４１２上のマットレス５５０の中央位置を維持する。
【００２８】
好適には、マットレス５５０は、図１０に示すように、凹部４５６と突出部５７６に隣接する厚いゾーン５８２と、上部デッキ４１４に係合する薄いゾーン５８０とを備える。例えば、厚いゾーン５８２は薄いゾーン５８０の厚さの１．５倍となり得る。一つの好適な実施例では、厚いゾーンは厚さおよそ７  １／２インチ（１９ｃｍ）で、薄いゾーンは厚さ５インチ（１２．７ｃｍ）である。厚いゾーン５８２が、人の快適さを最大にするために睡眠用面５５２の上に支持された人（仮想的に示される）の体重の大部分を支えるように配置される。対照的に、周囲の薄いゾーン５８０は睡眠用面５５２上の人にとって厚いゾーン５８２よりも堅いように思われるマットレス５５０の周囲部分を提供し、マットレス５５０の側面５７８に沿った睡眠用面５５２からの出入りを容易にさせている。
【００２９】
想像しうるように、段付きデッキ４１４及びマットレス５５０は人を支持するための支持面を必要としている多くの適用例で使用され得る。例えば、段付きデッキ４１４及びマットレス５００が、介護者によって運ばれる担架としての使用及び、ガーネイによって支持される人を運ぶための車輪を有するフレームに取り付けられた段付きデッキ４１４を有するガーネイとしての使用のために形成され得る。
【００３０】
図１１−図１３に示されるように、関節動作式デッキ４０２はマットレス５５０が載る面である。デッキ４０２は、具体的には、頭部分４０４、座面部分４０６、腿部分４０８、足部分４１０に分けられており、そのうちの三つである頭部分４０４と腿部分４０８と足部分４１０は座面部分４０８に対する人（図示されていない）の背中と腿と下肢の傾斜角を変えるために回転され得るようになっている。デッキ４０２の座面部分４０６は水平を維持し、デッキ４０２の頭部分４０４と腿部分４０８と足部分４１０は座面部分４０６に対して及びそれぞれの部分に対して動くことができ、それによって、マットレス５５０の頭部分５５８と腿部分５６２と足部分５６４をマットレス５５０の座面部分５６０に対して及びそれぞれの部分に対して動かすことができる。
【００３１】
関節動作式デッキ４０２の頭部分４０４と座面部分４０６と腿部分４０８と足部分４１０は、図１１−図１３に示されるように、協働して段付きデッキ４１２を形成する。段付きデッキ４１２は、頭部分４０４の頭側端部５２に添設された頭側端部の上部デッキ部分４１６と、頭部分４０４と座面部分４０６と腿部分４０８の両側に添設された側部の上部デッキ部分４１８、４２０、４２２、４２４、４２６、４２８と、腿部分４０８に隣接するウェイフレーム５０６の足側端部５４に添設された足側端部の上部デッキ部分４６０を有する上部デッキ４１４とを含む。関節動作式デッキ４０２が初期位置であり、協働してウェイフレーム５０６にほぼ平行である上部デッキ４１４を形成するときには、上部デッキ部分４１６、４１８、４２０、４２２、４２４、４２６、４２８、４６０及び足部分４１０の上部面４１１は同平面である。
【００３２】
段付きデッキ４１２は、さらに、頭部小割り板４３２と座面小割り板４３４と腿部小割り板４３６とを有する下部デッキ４３０を含む。関節動作式デッキ４０２が初期位置にあるときに、頭部小割り板４３２と座面小割り板４３４と腿部小割り板４３６は同平面であり、関節動作式デッキ４０２が初期位置にあるときに、各小割り板は協働してウェイフレーム５０６及び上部デッキ４１４にほぼ平行である下部デッキ４３０を形成する。
【００３３】
下部デッキ４３０は、図１１に示されるように、壁４３８によって上部デッキ４１４に接続され、該壁は、頭部小割り板４３２を頭側端部の上部デッキ部分４１６と接続する頭側端部の壁４４０と、頭部と座面と腿部の小割り板４３２、４３４、４３６とを側部の上部デッキ部分４１８、４２０、４２２、４２４、４２６、４２８に接続する側面の壁４４２、４４４、４４６、４４８、４５０、４５２と、腿部小割り板４３６を足側端部の上部デッキ４６０に接続する足側端部の壁４５４とを含む。そして、段付きデッキ４１２は、上部デッキ４１４を備え、下部デッキ４３０と下部デッキ４３０を上部デッキ４１４へ接続する壁４３８とによって形成された長手方向に延びる中央凹部４５６を含むように形成される。好適な実施例においては、段付きデッキ４１２の足部分４１０は、図１１及び図１３に示されるように、凹部４５６から移動させられ、上部デッキ４１４の一部を形成している。
【００３４】
マットレス５５０は、関節動作式デッキ４０２によって収容されており、図１１及び図１２に示されるように、凹部４５６によって収容される大きさにされた突出部５７６を含む。結果的に、マットレス５５０はマットレス５５０の側面５８０に沿って薄くなっており、マットレス５５０はこの薄い部分で段付きデッキ４１２の上部デッキ４１４に係合する。逆に、マットレス５５０は突出部５７６に隣接する部分で厚くなっている。好適には、突出部５７６はマットレス５５０の部分の直下に位置し、睡眠用面５５２に載った人の体重の大部分を支える。睡眠用面５５２と、上部デッキ４１４と係合する底部面５８６との間の厚さに、突出部５７６の厚さを加えたマットレス５５０の厚さを含むマットレス５５０の厚い部分は、睡眠用面５５２上の人により高い快適さを提供する。その上、マットレス５５０は、薄い周囲ゾーン５８０と突出部５７６に隣接する厚い体支持ゾーン５８２を有する。好適には、体支持ゾーンは周囲ゾーンの厚さの１．５倍の厚みである。例えば、周囲ゾーンは厚さ５インチ（１２．７ｃｍ）で体支持ゾーン５８２は７  １／２インチ（１９ｃｍ）にすることができる。
【００３５】
睡眠用面５５２が上部デッキ４１４に極めて接近している結果として、薄い周囲ゾーン５８０及び上部デッキ側端部分４１７は協働して、睡眠用面５５２のエッジのまわりにより大きな堅さを提供する”突き当てられた”エッジを形成する。人がベッドの側部に沿ってベッドから出入りするときに、この増大された堅さは利点となる。
【００３６】
突出部５７６は、図１２に示されるように、少なくとも段付きデッキ４１２の壁４３８の部分と係合するように形成されることができる側面の壁５８４を含み、それによって、段付きデッキ４１２に対するマットレス５５０の横方向及び縦方向の滑りを防いでいる。さらに、マットレス５５０は睡眠用面５５２と底部面５８６を接続する側面５７８を含む。図１１及び図１２に示されるように、マットレス５５０及び段付きデッキ４１２は、マットレス５５０の側面５７８がデッキ４０２の上に載るように形成されており、従来のマットレス及びデッキシステムで見られたようにフレーム部又はデッキの直立した壁に係合するよりむしろ、介護者に素晴らしく容易なマットレス５５０へのアクセスを提供する。
【００３７】
好適な実施例では、睡眠用面５５０はほぼ平坦であり、突出部５７６は睡眠用面５５０の下の中央に位置し、上部デッキ４１４に係合する周囲ゾーン５８０によって囲まれた、マットレス５５０の厚い体支持ゾーン５８２を形成する。マットレス５５０は一つ以上の部品で提供されてもよく、例えば、マットレス５５０は、凹部４５６に嵌合された第一のマットレス部品と、第一のマットレス部品の側面を囲み且つ隣接し、さらに上部デッキ４１４に係合する第二のマットレス部品からなってもよい。また、第一のマットレス部品は凹部４５６に嵌合でき、平坦な底部面を有する第二のマットレス部品は、第二のマットレス部品の底部が第一のマットレス部品及び上部デッキ４１４に係合するように、第一のマットレス部品の上に嵌合することもできる。しかしながら、体支持ゾーン５８２と周囲ゾーン５８０の両方を含む一体部品のマットレス５５０の方が好ましい。
【００３８】
加えて、マットレス５５０は膨張させられた状態と収縮させられた状態の両方の状態をとることができる膨張可能な部分５７４を含むことができる。好適には、膨張可能な部分５７４は、図１３に示すように、足部分５６４に横たわって位置し、それによって、デッキ４０２の足部分４１０が上の位置にあるときに、膨張可能な部分５７４は睡眠用面５５２として働くように膨張させることができ、足部分４１０が下の位置へ下げられるときは、膨張可能な部分５７４が収縮させられ、下方に傾けられることができ、椅子ベッド５０が着座位置にあるときに人の下肢用の場所を提供する。
【００３９】
マットレス５５０の足部分５６４と関節動作式デッキ４０２の足部分４１０は、図１３に示されるように、椅子ベッド５０の足部の長さを最小にするように協働する。足部分４１０と足部分５６４は、足部分４１０が上の位置にあるときは第一の長さ４６５であり、足部分４１０が下の位置にあるときは第二の長さ４６４であり、第一の長さ４６５は第二の長さ４６４よりも長い。さらに、足部分５６４は、足部分４１０が上の位置にあるときは第一の厚さ６０８であり、足部分４１０が下の位置にあるときは第二の厚さ６０９であり、第一の厚さ６０８は第二の厚さ６０９よりも厚い。
【００４０】
加えて、マットレス５５０の足部分５６４の幅６０４はマットレス５５０の頭部分５５８の幅６０６よりも小さく、頭部分５５８の幅６０６は、典型的には、図１１及び図１３に示すように、標準のマットレスの幅である。幅６０４、６０６の間のこの差は、適合させられた標準のシーツ（図示はされていない）にマットレス５５０の上にしっかりと挿入されることを許し、一方で睡眠用面５５２に支持された人（図示はされていない）の踵（図示はされていない）を受けとめる足部分５６４の部分に圧力の軽減が維持されるように、足部分５６４へのゆるい隣接を維持する。
【００４１】
好適な実施例において、収縮可能な足部分５６４は、図１４に示されるように、第一の空気袋１６１８のセットと、第一の空気袋１６１８のセットと交互に位置する第二の空気袋１６２０のセットとを含む。空気袋１６１８及び１６２０は、空気が空気袋１６１８及び１６２０から回収されると、殆どゼロの寸法に潰れるように形成されている。第一の空気袋１６１８のセットは、両側矢印１６２２によって図解されるように、デッキ４０２の足部分４１０にほぼ平行である第一の方向に潰れるように向けられる。第二の空気袋１６２０のセットは、両側矢印１６２４によって図解されるように足部デッキ部分４１０にほぼ垂直である第二の方向に潰れるように形成される。足部分１５０２の空気袋１６１８及び１６２０のこの向きは、足部分４１０が上の位置から下の位置に動くにつれて空気袋１６１８及び１６２０が収縮されるにともなって、有利に足部分１５０２を短縮又は短くさせ且つ潰す又は薄くさせる。着座位置では、足部分４１０及びマットレス５５０の足部分５６４は、ほぼ水平な位置からほぼ垂直な下方に延びる位置へ動く。
【００４２】
足部分５６４は、該足部分５６４が上の位置から下の位置へ図１４に示される矢印５６４の方向に動くにつれ、収縮する。上の位置では、空気袋１６１８及び１６２０が十分に膨張させられているときに、足部分５６４は約２７インチ（６８．６ｃｍ）の長さと約５インチ（１２．７ｃｍ）の厚さを有する。図１４の位置１６２８に示された下の位置にあるときは、足部分５６４は十分に収縮されており、約１４インチ（３５．６ｃｍ）の長さと好適には１インチ（２．５４ｃｍ）以下の厚さを有する。足部分５６４が下の位置まで動くにつれて、表面の足部分の長さは好適には少なくとも４０％削減され、表面の足部分の厚さは好適には少なくとも８０％削減される。表面の足部分５６４の幅は、上の位置と下の位置の両方で実質的に同じ状態を維持する。
【００４３】
本発明は好適な実施例を参照して詳細に説明されたが、適用例及び変更例は以下の請求項で記述され且つ定義されたような本発明の請求の範囲及び精神内で存在する。
【図面の簡単な説明】
【００４４】
【図１】図１は本発明による椅子ベッドの斜視図であり、椅子ベッドから分解された側部レールと、デッキの長手方向の両側に沿って位置する頭側レール及び足側レールと、閉められた位置にある旋開足部ゲートとを示している。
【図２】図２は、着座位置にある椅子ベッドを示す図１に類似の図で、該着座位置は、関節動作式デッキの頭部分を背中を支持する位置へ上方に動かさせ、デッキの腿部を僅かに上方へ傾けさせ、デッキの足部分をほぼ垂直に下方に延びる位置へ動かさせ、マットレスの足部分を収縮させ、一方の旋開ゲートが椅子ベッドの隣に折り曲げられた状態で左右の旋開ゲートを開いた位置に動かさせた状態である。
【図３】図３は、ベッド位置にある椅子ベッドを示す図１の椅子ベッドの線図であり、該椅子ベッドは、上向き睡眠用面を床の上の予め決められた第一の距離に保たせるマットレスと、初期の位置にあって睡眠用面をほぼ平坦な形状に担持するデッキと、第一の長さである足部分とを含む。
【図４】図４は低い位置にある椅子ベッドを示す線図である。
【図５】図５はトレンデレンブルグ体位位置にある椅子ベッドを示す線図である。
【図６】図６は逆トレンデレンブルグ体位位置にある椅子ベッドを示す線図である。
【図７】図７は中間位置にある椅子ベッドを示す線図であり、該中間位置は、デッキの頭部分の頭側端部をデッキの初期の位置から僅かに上方に旋回させ、座面部分をデッキの初期の位置にある座面部分によって形成された水平面状態に位置させ、足部分をデッキがデッキの初期の位置にあるときの足部分の位置より下に足部分の足側端部が位置するように僅かに傾斜させた状態である。
【図８】図８は着座又は椅子位置にある椅子ベッドを示す線図であり、該着座又は椅子位置は、頭部分の頭側端部を座面部分から上方に旋回させて背中支持の位置にした状態で、座面部分が初期のデッキの位置のようにほぼ水平に横たわり、腿部分が上方に上がっており、足部分が腿部分から下方に延び且つ第二の長さであり、マットレスの部分が収縮された足部分を覆っている。
【図９】図９は本発明による段付きデッキとマットレスの第一の実施例の斜視図である。
【図１０】図１０は、突出部の下の段付きデッキの底部を示す図９の線１０−１０に沿った断面図である。
【図１１】図１１は椅子ベッドの段付きデッキとマットレスの第二の実施例の分解斜視図である。
【図１２】図１２は、Ｘ線透視機器のような医療機器を保持するためのＣ字アームを（仮想的に）示している、図１１の線１２−１２に沿った段付きデッキとマットレスについての断面図である。
【図１３】図１３は、マットレスとデッキの第三の実施例の分解斜視図であり、マットレスの足部分が足部分が膨らんでいるときより薄く且つ短くなるようにデッキの足部分を短縮させ且つマットレスの足部分を長手方向に短縮させ且つ収縮させて最小にされた状態のデッキの足部分とマットレスの足部分を示している。
【図１４】図１４は、ベッドがベッド位置から椅子位置に動くにつれ、足部分の表面がどの様に引っ込み又は短くなり、つぶれる又は薄くなるかをさらに説明する線図である。
【図１】
0004392423.tif 000002
【図２】
0004392423.tif 000003
【図３】
0004392423.tif 000004
【図４】
0004392423.tif 000005
【図５】
0004392423.tif 000006
【図６】
0004392423.tif 000007
【図７】
0004392423.tif 000008
【図８】
0004392423.tif 000009
【図９】
0004392423.tif 000010
【図１０】
0004392423.tif 000011
【図１１】
0004392423.tif 000012
【図１２】
0004392423.tif 000013
【図１３】
0004392423.tif 000014
【図１４】
0004392423.tif 000015